(57)【特許請求の範囲】
【請求項１】
前枠にヒンジで開閉可能に取り付けられる合成樹脂製の背板と背板の前側に組み合わされた合成樹脂製の受け皿とが遊技球を収容する玉収容部とこれに収容された遊技球を玉発射装置側に誘導する玉流れ部とを形成し、背板には賞球排出口とスピーカ放音口とスピーカ放音口を塞ぐ金網とが設けられ、背板の裏面には前枠の裏側から賞球機構から排出された遊技球を球排出口を経由して玉収容部に導出する接続樋が設けられ、背板の裏面には強磁性金属製の不正防止板が取り付けられ、不正防止板に形成された切欠部が接続樋を逃げ、不正防止板に形成されたスピーカ放音口が背板のスピーカ放音口と対向し、前枠に対し閉じられた背板と対向するように前枠に装着されたリヤプレートの前面側には合成樹脂製のケーシングが取り付けられ、ケーシングの内部にはコイルを備えたスピーカがコイルへの電力駆動で発生した音をケーシングの前部に形成されたスピーカ放音口から前側に放出するように格納され、受け皿の前側を覆う合成樹脂製の前カバーにはスピーカから放出されてケーシングのスピーカ放音口と背板のスピーカ放音口と背板の金網とを順に前側に経由した音を玉収容部の下を通して前カバーの前側に放出するスピーカ放音口が設けられ、不正防止板の切欠部にはフランジが切欠部から裏側に向けて曲折形成され、このフランジおよび不正防止板がスピーカのコイルで発生した磁気を玉収容部と玉流れ部と接続樋とを迂回させる磁気回路を形成したことを特徴とする遊技機の上皿装置。
【発明の詳細な説明】
【０００１】
【発明の属する技術分野】
この発明は遊技球を使用する遊技機に用いられ、遊技球を収容した状態において、当該遊技球を玉発射装置の玉発射動作毎に一球つづ玉発射装置側に供給する上皿装置に関する。
【０００２】
【従来の技術】
パチンコ機等のような遊技機では遊技者への視覚に訴える遊技性を高めることから前面部品の合成樹脂化が進められてきており、その一環として、合成樹脂製の受け皿と合成樹脂製の背板とを前後方向に組み合わせた上皿装置が知られている。
【０００３】
この上皿装置は、少数の心ない遊技者がピアノ線を背板の表側より裏側に回り込ませて不正を働くのを防止するために、背板の裏面にブリキや鉄板等のような強磁性金属製の不正防止板を敷設してある。
【０００４】
また、前記遊技機では遊技者の聴覚に訴える遊技性を高めることからスピーカを設けることも知られている。
【０００５】
ところで、スピーカを遊技機に設置する場合、各種機能部品の配置とスピーカから発せられる音の高効果との関係から、スピーカを上皿装置の裏側に配置するのが一般的である。
【０００６】
【発明が解決しようとする課題】
しかし、前記上皿装置において、背板の裏面に強磁性金属製の不正防止板とスピーカとを配置した場合、スピーカの磁気発生源としてのコイルで発生した磁気が不正防止板の端縁から背板に沿って空気中に抜けてコイルに到達する磁気回路を形成するので、上皿装置に遊技球が残り少なくなると、前記不正防止板から背板に沿って空気中に放射される磁気によって遊技球が玉発射装置側に流れにくくなる玉止まりを発生して、玉発射装置で打ち出される遊技球が途切れて遊技性を損なう可能性がある。
【０００７】
そこで、この発明は背板の裏面に配置された磁気発生源で発生した磁気が強磁性金属製の不正防止板から空気中に放射される方向を裏側に強制的に向けることにより、遊技球に作用する磁力を弱めて玉止まり防止を図り、品質信頼性を向上することができる遊技機の上皿装置を提供しようとするものである。
【０００８】
【課題を解決するための手段】
請求項１の発明は、前枠にヒンジで開閉可能に取り付けられる合成樹脂製の背板と背板の前側に組み合わされた合成樹脂製の受け皿とが遊技球を収容する玉収容部とこれに収容された遊技球を玉発射装置側に誘導する玉流れ部とを形成し、背板には賞球排出口とスピーカ放音口とスピーカ放音口を塞ぐ金網とが設けられ、背板の裏面には前枠の裏側から賞球機構から排出された遊技球を球排出口を経由して玉収容部に導出する接続樋が設けられ、背板の裏面には強磁性金属製の不正防止板が取り付けられ、不正防止板に形成された切欠部が接続樋を逃げ、不正防止板に形成されたスピーカ放音口が背板のスピーカ放音口と対向し、前枠に対し閉じられた背板と対向するように前枠に装着されたリヤプレートの前面側には合成樹脂製のケーシングが取り付けられ、ケーシングの内部にはコイルを備えたスピーカがコイルへの電力駆動で発生した音をケーシングの前部に形成されたスピーカ放音口から前側に放出するように格納され、受け皿の前側を覆う合成樹脂製の前カバーにはスピーカから放出されてケーシングのスピーカ放音口と背板のスピーカ放音口と背板の金網とを順に前側に経由した音を玉収容部の下を通して前カバーの前側に放出するスピーカ放音口が設けられ、不正防止板の切欠部にはフランジが切欠部から裏側に向けて曲折形成され、このフランジおよび不正防止板がスピーカのコイルで発生した磁気を玉収容部と玉流れ部と接続樋とを迂回させる磁気回路を形成したことを特徴としている。この請求項１の構成によれば、不正防止板の端縁に裏側に向けて曲折形成されたフランジがスピーカのコイルで発生した磁気の不正防止板から空気中への放射方向を不正防止板から裏側に向けることにより、上皿装置上の遊技球に作用する磁力を弱めて、上皿装置上での玉止まりを適切に防止して、上皿装置の遊技球を全部途切れなく打ち出すことができる。
【０００９】
【発明の実施の形態】
図４は実施形態のパチンコ機の外観を示し、この図において、１は上皿装置で、合成樹脂製の受け皿２と合成樹脂製の背板３とを前後方向に組み合わせて玉収容部４とこれに収容された図外の遊技球を玉発射装置側に誘導する玉流れ部５とを形成している。
２０は機枠で、店の島に取り付けられる外枠２１と、これにヒンジ２２で取り付けられた前枠２３とを備えており、機枠２０の内部には図外のセンタ役物、一般入賞口、大入賞口、風車及び多数の遊技釘などの遊技機能部品を機枠２０の前面から視認可能な状態に備えたゲージ盤が組み込まれる。
【００１０】
前枠２３はその前面下部に玉発射装置のグリップ２４を有する下皿セット２５を固定して区画された方形の図外の窓を備えていると共に、その窓を覆う状態で下方より順に前記上皿装置１と閉環状の飾枠２６とを図外のヒンジで取り付けてある。
【００１１】
飾枠２６はその前面上部にトップランプカバー２７を有すると共に、前面側部に前枠２３及び飾枠２６を開閉するための施錠装置２８を備えている。飾枠２６の裏面側にはその内側の開口部を覆う透明のガラス２９を嵌め殺しに装着してある。
【００１２】
図２は前記上皿装置１の背板３及びその裏側に配置される部品構成を示し、この図において、背板３は、上半部で前面側に突出する膨出部３ａと、この膨出部３ａの左側に形成された賞球排出口３ｂと、この賞球排出口３ｂの右側に位置して膨出部３ａに形成された多数の小孔群からなるブザー放音口３ｃと、膨出部３ａの右下隅部に形成された玉発射側排出口３ｄと、賞球排出口３ｂより下方に形成された図１に示すスピーカ放音口３ｎを覆う状態に装着された金網３ｅと、この金網３ｅより右側に形成された配線通し口３ｆと、この配線通し口３ｆより右側に形成された玉下皿側排出口３ｇと、この玉下皿側排出口３ｇより右側に形成された逃げ孔３ｈと、左右縁及び下縁の切欠部３ｉ，３ｊ，３ｋと、上縁のほぼ全域に形成されたチャンネル状の合わせ縁部３ｍとを有している。
【００１３】
６は鉄板やステンレス板などの強磁性金属製の不正防止板で、背板３の膨出部３ａの裏面に重ね合わされる膨出部６ａと、背板３の賞球排出口３ｂを逃げる切欠部６ｂと、この切欠部６ｂより下側に形成されたスピーカ放音口６ｃと、このスピーカ放音口６ｃより右側に形成された配線通し口６ｄと、この配線通し口６ｄより右側に形成された凹欠部６ｅと、配線通し口６ｄより上方で膨出部６ａに形成されたブザー放音孔６ｆと、このブザー放音孔６ｆと配線通し口６ｄ及び凹欠部６ｅの周囲に形成された貫通孔６ｇ，６ｈ，６ｉと、不正防止板６の上端縁や膨出部６ａの上下端縁及び切欠部６ｂの周端縁より裏側に向けて曲折形成されたフランジ６ｊ，６ｋ，６ｍ，６ｎ，６ｐ，６ｑ，６ｒ，６ｓ，６ｔと備えている。
【００１４】
７は合成樹脂製の溜玉防止ベースで、前面に形成されたブザー収容部７ａと、前面に装着されたシャッタ７ｂと、このシャッタ７ｂの周囲で背板３の玉発射側排出口３ｄの左右及び上縁を囲む囲み７ｃと、前面側に突出形成された周壁７ｄと、この周壁７ｄの隅部に形成されたねじ挿入用の貫通孔７ｅ，７ｆ，７ｇとを有している。
【００１５】
前記シャッタ７ｂは、図４に示す上皿装置１を機枠２０の前面側に開放したとき、複数のリンクプレート間に掛け渡された図外のスプリングの作用により囲み７ｃの内部に進入して背板３の玉発射側排出口３ｄから遊技球が放出されるのを防止する一方、上皿装置１を機枠２０に対して閉じたとき、機枠２０の内部に設置された図外の突起でコイルスプリングの弾性に抗して撥ね上げられて囲み７ｃの外側に後退して遊技球を背板３の玉発射側排出口３ｄを通過させて図外の玉発射装置の打球ユニットの玉導入通路に流出させる。
【００１６】
８は機枠２０の前枠２３（図４参照）に設置されて図外の賞球機構より排出された遊技球を上皿装置１に導出する合成樹脂製の接続樋で、これには金属製の接続樋カバー８ａを被覆装着してある。
【００１７】
図３は前記上皿装置１の受け皿２の部品構成を示し、受け皿２は合成樹脂製の上皿本体９と合成樹脂製の前カバー１０とを備えて樹脂成形容易な構造になっている。
【００１８】
上皿本体９は、前方に半月状の盆形状に突出する膨出部９ａと、この膨出部９ａの後縁で中間より右側に下傾状に形成された傾斜部９ｂと、この傾斜部９ｂに嵌合装着されて当該傾斜部９ｂの摩耗を防止する別体形成のメタルシュー９ｃと、膨出部９ａの前右半分に装着された光透過性の着色合成樹脂からなる別体形成の上面レンズ９ｄと、左右端部の前面に形成された位置決め用取付部９ｅ，９ｆと、膨出部９ａより下方で前面に装着された別体形成の玉抜き装置９ｇとを有している。
【００１９】
この玉抜き装置９ｇはその前面に設けられたプッシュボタン９ｈを押し込むことで、当該プッシュボタン９ｈが押圧状態に保持されると共に内部に組込まれた図外のリンク機構を介して図外のレバーを後退させ、この後退したレバーが傾斜部９ｂの終端底面に形成された図外の下皿装置側投入口を開放して、開放された下皿装置側投入口から遊技球を前カバー１０の底部上に形成された図外の誘導通路を経由して図２に示す背板３の玉下皿側排出口３ｇに流出させる一方、前記押圧状態が保持された姿勢において、プッシュボタン９ｈを再び押すことで、プッシュボタン９ｈが押圧状態保持を解除されると共に内部に組込まれた図外のスプリングの弾性でリンク機構を介してレバーを前進させ、この前進したレバーが上皿本体９の前記下皿装置側投入口を閉鎖して、遊技球を図２に示す背板３の玉発射側排出口３ｄに流出させる。
【００２０】
前記前カバー１０は前方に半円弧状に膨出形成された隔壁部１０ａと、この隔壁部１０ａの前面に装着された光透過性の合成樹脂からなる別体形成の前面レンズ１０ｂと、隔壁部１０ａより右側で前面に装着された光透過性の着色合成樹脂からなる別体形成の側面レンズ１０ｃと、隔壁部１０ａより下方に連接された後傾部１０ｄと、この後傾部１０ｄに形成された多数の横長孔群からなるスピーカ放音口１０ｅとを有しており、前面レンズ１０ｂには前記玉抜き装置９ｇのプッシュボタン９ｈを裏面側より前面側に操作可能に収容する格納孔１０ｆを形成してある。
【００２１】
この実施形態では、前面レンズ１０ｂ及び側面レンズ１０ｃが被覆された前カバー１０の隔壁部１０ａには図外のＬＥＤのような照明ランプ及び当該照明ランプに電力を供給する電線を構成する図外のフレキシブルプリント配線板を装着してあると共に、前カバー１０の左端部の裏面には図外のピボットヒンジを装着し、更には前カバー１０の右端部の裏面には図外のロック機構を装着してある。
【００２２】
図１は図２及び図３に示した上皿装置１の構成部品としての背板３、不正防止板６、溜玉防止ベース７、接続樋８、上皿本体９及び前カバー１０を組付けた状態を示し、この図において、前カバー１０は前記図外の照明ランプ、フレキシブルプリント配線板、ピボットヒンジ及びロック機構を装着した状態において上皿本体９に前方より組合わせることにより受け皿２を形成する。
この受け皿２を形成した状態において、前カバー１０の隔壁部１０ａが上皿本体９の膨出部９ａをその前方で被覆し、前カバー１０の裏面に突設された図外のボスが上皿本体９の位置決め用取付部９ｅ，９ｆ（図３参照）に嵌合し、前カバー１０の後傾部１０ｄが上皿本体９の膨出部９ａとの間に内部空間１１を形成し、この内部空間１１の一部に玉抜き装置９ｇ（図３参照）を収容すると共に、この玉抜き装置９ｇのプッシュボタン９ｈの前面が前カバー１０の格納孔１０ｆより前方に突出している。
【００２３】
この受け皿２はその裏側に背板３を組合わせると共に、図外のねじを背板３の裏側より受け皿２の背板３との接触面に締結して背板３と結合することにより、背板３の膨出部３ａが上皿本体９の膨出部９ａの後側開口を閉鎖すると共に、背板３の膨出部３ａより下側部分が内部空間１１の後側開口を閉鎖し、背板３の金網３ｅが受け皿２のスピーカ放音口１０ｅと対向し、更に背板３の合わせ縁３ｍが受け皿２より上方に突出した状態となる。
【００２４】
この背板３の裏面には不正防止板６を重ね合わせることにより、不正防止板６の切欠部６ｂが背板３の賞球排出口３ｂを取り囲むと共に、不正防止板６の膨出部６ａが背板３の膨出部３ａに裏打ち状態に配置され、更に不正防止板６のスピーカ放音口６ｃ、ブザー放音口６ｆ、配線通し口６ｄ及び凹欠部６ｅが背板３の金網３ｅ、ブザー放音口３ｃ、配線通し口３ｆ、玉下皿側排出口３ｇと個別に対応した状態となる。
【００２５】
この不正防止板６の切欠部６ｂより後方に突出する背板３の賞球排出口３ｂには接続樋カバー８ａを有する接続樋８の前側開口を外嵌すると共にその後方より図外の木ねじのようなねじ込み釘を背板３に締結して、接続樋８を背板３に装着する一方、不正防止板６の膨出部６ａの裏面に溜玉防止ベース７を重ね合わせて、図外のねじを溜め玉防止ベース７の貫通孔７ｅ〜７ｇより不正防止板６の貫通孔６ｇ〜６ｉを経て背板３に締結して、溜玉防止ベース７及び不正防止板６を背板３の裏面に取り付けることにより、溜玉防止ベース７のブザー収容部７ａと不正防止板６のブザー放音口６ｆとが背板３のブザー放音口３ｃに対応し、溜玉防止ベース７の囲み７ｃが不正防止板６より右外側で背板３の玉発射側排出口３ｄの周縁を囲む状態となる。
【００２６】
図１中の符号３０はスピーカで、前枠２３（図４参照）に装着された鉄系金属製のリヤプレート３１の前面側に取り付けられた合成樹脂製のケーシング３２の内部に防振フレーム３３及びバッフルプレート３４を介在した状態で格納装着されており、前枠２３に対して上皿装置１を閉じた状態において、ケーシング３２の前部に形成されたスピーカ放音口３２ａの前端部の全部に接着されたゴムのような緩衝部材３５が不正防止板６のスピーカ放音口６ｃまわりの裏面に圧縮した状態で接触すると共に、不正防止板６のスピーカ放音口６ｃまわりのフランジ６ｐ，６ｑ（図２参照）が緩衝部材３５及びケーシング３２の外側に配置される状態となり、このスピーカ３０の磁気発生源としてのコイル３０ａが図外の音響出力源より供給された電力で駆動して、スピーカ３０がメッセージや球技性を高める効果音を発生すると、当該音がケーシング３２のスピーカ放音口３２ａから不正防止板６のスピーカ放音口６ｃ、背板３のスピーカ放音口３ｎ、金網３ｅ、内部空間１１を経由して受け皿２のスピーカ放音口１０ｅから上皿装置１の前方に放射する。
【００２７】
この実施形態の構造によれば、前記スピーカ３０での放音動作において、図１のｂ図に点線で示すように、コイル３０ａで発生した磁気は、強磁性金属製の不正防止板６のスピーカ放音口６ｃの周縁より当該不正防止板６の内部を通ってフランジ６ｑの端縁及び不正防止板６の下端縁から上皿装置１の玉収容部４及び玉流れ部５を迂回して空気中に抜けてコイル３０ａに到達する磁気回路Ｌを形成する。
【００２８】
とりわけ、この実施形態によれば、上皿装置１での玉収容部４及び玉流れ部５に近接した不正防止板６の端縁に裏側に向けて曲折されたフランジ６ｑを形成したので、このフランジ６ｑが前記コイル３０ａで発生した磁気の不正防止板６から空気中への放射方向を不正防止板６から裏側へほぼ直交方向に向けることにより上皿装置１上の玉収容部４及び玉流れ部５に存在する遊技球３６に作用する磁力を弱めて、上皿装置１上での玉止まりを適切に防止することができ、上皿装置１の遊技球３６をグリップ２４（図４参照）の操作による図外の玉発射装置の駆動で全部途切れなく打ち出すことができる。
【００２９】
また、この実施形態によれば、図２に示すように、背板３のブザー放音口３ｃの裏面側に配置される図外のブザーで発生した磁気は、不正防止板６のブザー放音口６ｆの周縁より当該不正防止板６の内部を通ってフランジ６ｋ，６ｍの端縁から不正防止板６の裏側へほぼ直交方向に向けて空気中に抜けて当該ブザーの磁気発生源としての図外のコイルに到達する磁気回路を形成するので、このブザーから上皿装置１上の玉収容部４及び玉流れ部５に存在する遊技球３６に作用する磁力を弱めて、上皿装置１上での玉止まりを適切に防止することができる。
【図面の簡単な説明】
【図１】実施形態を示し、ａ図は上皿装置を閉じた状態でのスピーカ配置部分の縦断面図、ｂ図は作用を模式的に示した説明図。
【図２】実施形態の背板の裏側の部品構成を示した分解斜視図。
【図３】実施形態の受け皿の部品構成を示した分解斜視図。
【図４】実施形態の遊技機を示す斜視図。
【符号の説明】
１  上皿装置
２  受け皿
３  背板
４  玉収容部
５  玉流れ部
６  不正防止板
６ｊ〜６ｑ  フランジ
３０  スピーカ
３０ａ  コイル（磁気発生源）
Ｌ  磁気回路
【図１】
0003574238.tif 000002
【図２】
0003574238.tif 000003
【図３】
0003574238.tif 000004
【図４】
0003574238.tif 000005